【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
ワイヤレスにデータを送信および受信することのできるデバイスであって、
処理ユニットを含み、
当該処理ユニットが
ロングタームエボリューション（ＬＴＥ）規格に従ってデータを送信および受信する第１のチップと、
前記第１のチップと並行して動作し、ワイヤレスローカルエリアネットワーク（ＷＬＡＮ）でデータを送信および受信する、第２のチップと、
を含み、
前記処理ユニットが、
前記ＷＬＡＮで前記第２のチップによりそれを介してデータが送信および受信され得る、複数のアクセスポイント（ＡＰ）を決定し、
前記第２のチップによるＷＬＡＮでのデータの送信または受信と同時の、ＬＴＥ規格に従った前記第１のチップによるデータの送信または受信が、前記第１のチップと前記第２のチップの全体のスループットに影響するかどうかを、各異なるＡＰについて、少なくとも判定することを含む複数の要因に基づき最適なＡＰを特定し、
前記第２のチップが、前記最適なＡＰ以外の任意のＡＰを介してＷＬＡＮに予め接続されている場合に、前記最適なＡＰ以外の前記任意のＡＰから前記第２のチップを切断し、
第２のチップを前記最適なＡＰを介してＷＬＡＮに接続する、
ように構成される、デバイス。
【請求項２】
請求項１に記載のデバイスであって、
前記複数の要因が、少なくとも、各異なるＡＰのパフォーマンススピード容量と、各異なるＡＰのネットワーク負荷と、各異なるＡＰの受信信号強度表示（ＲＳＳＩ）と、各異なるＡＰの信号対ノイズ比（ＳＮＲ）とを更に含む、デバイス。
【請求項３】
請求項２に記載のデバイスであって、
最適のＡＰを特定することが、
各異なるＡＰの前記パフォーマンススピード容量と、各異なるＡＰの前記ネットワーク負荷と、各異なるＡＰの前記ＲＳＳＩと、各異なるＡＰの前記ＳＮＲとを含む前記複数の要因に基づき、前記複数のＡＰの各々にグレードを提供することであって、より高いグレードが、前記第１のチップと前記第２のチップｔｐのより高いスループットを示す、前記提供することと、
特定のＡＰの前記第２のチップによるＷＬＡＮでのデータの前記送信または受信と同時の、ＬＴＥ規格に従った前記第１のチップによるデータの送信または受信が、前記特定のＡＰの前記第１のチップと前記第２のチップの全体のスループットを減少させると判定する場合に、前記特定のＡＰのグレードを下方に調整することと、
これに続いて、前記複数のＡＰのうちのどのＡＰが最高のグレードを有するかを判定することと、
を含む、デバイス。
【請求項４】
請求項１に記載のデバイスであって、
各異なるＡＰについて、前記第２のチップによるＷＬＡＮでのデータの前記送信または受信と同時の、ＬＴＥ規格に従った前記第１のチップによるデータの送信または受信が、前記第１のチップと前記第２のチップとの全体のスループットを減少させると判定することが、
各異なるＡＰについて、ＷＬＡＮでの前記第２のチップによるデータの受信が、ＬＴＥ規格に従った前記第１のチップによるデータの同時の送信によってブロックされるかどうかを判定すること、
を含む、デバイス。
【請求項５】
請求項１に記載のデバイスであって、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップとの全体のスループットを減少させるかどうかを判定することが、
各異なるＡＰについて、ＷＬＡＮでの前記第２のチップによるデータの送信が、ＬＴＥ規格に従った前記第１のチップによるデータの受信の間に相互変調を生じさせるかどうかを判定すること、
を含む、デバイス。
【請求項６】
請求項１に記載のデバイスであって、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップとの全体のスループットを減少させるかどうかを判定することが、
各異なるＡＰについて、ＷＬＡＮでの前記第２のチップによるデータの受信が、ＬＴＥ規格に従った前記第１のチップによるデータの同時の送信によりブロックされるかどうかを判定することと、
各異なるＡＰについて、ＷＬＡＮでの前記第２のチップによるデータの送信が、ＬＴＥ規格に従った前記第１のチップによるデータの受信の間に相互変調を生じさせるかどうかを判定することと、
を含む、デバイス。
【請求項７】
請求項１に記載のデバイスであって、
最適のＡＰを特定することが、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップとの全体のスループットを減少させるかどうかを判定すること以外の、１つまたは複数のパフォーマンス要因に基づいて、前記複数のＡＰの各々にグレードを提供することであって、より高いグレードが、前記第１のチップと前記第２のチップとのより高いスループットを示す、前記提供することと、
特定のＡＰの前記第２のチップによるＷＬＡＮでのデータの前記送信または受信と同時の、ＬＴＥ規格に従った前記第１のチップによるデータの送信または受信が、前記特定のＡＰの前記第１のチップと前記第２のチップとの全体のスループットを減少させると判定する場合に、前記特定のＡＰのグレードを下方に調整することと、
それに続いて、前記複数のＡＰのうちのどのＡＰが最高のグレードを有するかを判定することと、
を含む、デバイス。
【請求項８】
ワイヤレスにデータを送信および受信することができるデバイスであって、ロングタームエボリューション（ＬＴＥ）規格に従ってデータを送信および受信する第１のチップと、前記第１のチップと並行して動作し、ワイヤレスローカルエリアネットワーク（ＷＬＡＮ）でデータを送信および受信する第２のチップとを備える処理ユニットを含む、デバイスにおいて実装される方法であって、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップとの全体のスループットに影響するかどうかを少なくとも判定することを含む複数の要因に基づき、最適のＡＰを前記処理ユニットによって特定することと、
前記第２のチップが、前記最適なＡＰ以外の任意のＡＰを介してＷＬＡＮに予め接続されている場合に、前記処理ユニットによって、前記最適なＡＰ以外の前記任意のＡＰから前記第２のチップを切断することと、
前記処理ユニットによって、前記第２のチップを前記最適なＡＰを介してＷＬＡＮに接続することと、
を含む方法。
【請求項９】
請求項８に記載の方法であって、
前記複数の要因が、少なくとも、各異なるＡＰのパフォーマンススピード容量と、各異なるＡＰのネットワーク負荷と、各異なるＡＰの受信信号強度表示（ＲＳＳＩ）と、各異なるＡＰの信号対ノイズ比（ＳＮＲ）とを更に含む、方法。
【請求項１０】
請求項９に記載の方法であって、
最適なＡＰを特定することが、
各異なるＡＰの前記パフォーマンススピード容量と、各異なるＡＰの前記ネットワーク負荷と、各異なるＡＰの前記ＲＳＳＩと、各異なるＡＰの前記ＳＮＲとを含む前記複数の要因に基づき、前記処理ユニットによって、前記複数のＡＰの各々にグレードを提供することであって、より高いグレードが、前記第１のチップと前記第２のチップとのより高いスループットを示す、前記提供することと、
特定のＡＰの前記第２のチップによるＷＬＡＮでのデータの前記送信または受信と同時の、ＬＴＥ規格に従った前記第１のチップによるデータの送信または受信が、前記第１のチップと前記第２のチップとの全体のスループットを減少させると判定する場合に、前記処理ユニットによって、前記特定のＡＰのグレードを下方に調整することと、
これに続いて、前記処理ユニットによって、前記複数のＡＰのうちのどのＡＰが最高のグレードを有するかを判定することと、
を含む、方法。
【請求項１１】
請求項８に記載の方法であって、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップとの全体のスループットを減少させるかどうかを判定することが、
各異なるＡＰについて、ＷＬＡＮでの前記第２のチップによるデータの受信が、ＬＴＥ規格に従った前記第１のチップによるデータの同時の送信によってブロックされるかどうかを、前記処理ユニットによって判定すること、
を含む、方法。
【請求項１２】
請求項８に記載の方法であって、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップとの全体のスループットを減少させるかどうかを判定することが、
ＷＬＡＮでの前記第２のチップによるデータの送信が、ＬＴＥ規格に従った前記第１のチップによるデータの受信の間に相互変調を生じさせるかどうかを、前記処理ユニットによって判定すること、
を含む、方法。
【請求項１３】
請求項８に記載の方法であって、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップとの全体のスループットを減少させるかどうかを判定することが、
各異なるＡＰについて、ＷＬＡＮでの前記第２のチップによるデータの受信が、ＬＴＥ規格に従った前記第１のチップによるデータの同時の送信によってブロックされるかどうかを、前記第２のチップによって判定することと、
ＷＬＡＮでの前記第２のチップによるデータの送信が、ＬＴＥ規格に従った前記第１のチップによるデータの受信の間に相互変調を生じさせるかどうかを、前記第２のチップによって判定することと、
を含む、方法。
【請求項１４】
請求項８に記載の方法であって、
最適のＡＰを特定することが、
各異なるＡＰについて、前記第２のチップによるＷＬＡＮでのデータの送信または受信と同時の、ＬＴＥ規格での前記第１のチップによるデータの送信または受信が、前記第１のチップと前記第２のチップとの全体のスループットを減少させるかどうかを判定すること以外の、１つまたは複数のパフォーマンス要因に基づいて、前記処理ユニットによって、前記複数のＡＰの各々にグレードを提供することであって、より高いグレードが、前記第１のチップと前記第２のチップとのより高いスループットを示す、前記提供することと、
特定のＡＰの前記第２のチップによるＷＬＡＮでのデータの前記送信または受信と同時の、ＬＴＥ規格に従った前記第１のチップによるデータの送信または受信が、前記特定のＡＰの前記第１のチップと前記第２のチップとの全体のスループットを減少させると判定する場合に、前記処理ユニットによって、前記特定のＡＰのグレードを下方に調整することと、
それに続き、前記処理ユニットによって、前記複数のＡＰのうちのどのＡＰが最高のグレードを有するかを判定することと、
を含む、方法。
【請求項１５】
ワイヤレスにデータを送信および受信することのできるデバイス内の処理ユニットであって、ロングタームエボリューション（ＬＴＥ）規格に従ってデータを送信および受信する第１のチップと、前記第１のチップと並行して動作し、ワイヤレスローカルエリアネットワーク（ＷＬＡＮ）でデータを送信および受信する第２のチップとを備える、前記処理ユニットによって実行されるように、それに記憶される命令を備える持続性コンピュータ可読記憶媒体であって、
前記デバイスにおいて実行される方法が、
前記ＷＬＡＮで前記第２のチップによりそれを介してデータが送信および受信され得る、複数のアクセスポイント（ＡＰ）を判定することと、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップとの全体のスループットに影響するかどうかを判定することを少なくとも含む複数の要因に基づき、最適なＡＰを特定することと、
前記第２のチップが、前記最適なＡＰ以外の任意のＡＰを介してＷＬＡＮに予め接続されている場合に、前記最適なＡＰ以外の前記任意のＡＰから前記第２のチップを切断することと、
前記処理ユニットによって、前記第２のチップを前記最適なＡＰを介してＷＬＡＮに接続することと、
を含む、持続性コンピュータ可読記憶媒体。
【請求項１６】
請求項１５に記載の持続性コンピュータ可読記憶媒体であって、
前記複数の要因が、少なくとも、各異なるＡＰのパフォーマンススピード容量と、各異なるＡＰのネットワーク負荷と、各異なるＡＰの受信信号強度表示（ＲＳＳＩ）と、各異なるＡＰの信号対ノイズ比（ＳＮＲ）とを更に含む、持続性コンピュータ可読記憶媒体。
【請求項１７】
請求項１６に記載の持続性コンピュータ可読記憶媒体であって、
最適のＡＰを特定することが、
各異なるＡＰの前記パフォーマンススピード容量と、各異なるＡＰの前記ネットワーク負荷と、各異なるＡＰの前記ＲＳＳＩと、各異なるＡＰの前記ＳＮＲとを含む前記複数の要因に基づいて、前記複数のＡＰの各々にグレードを提供することであって、より高いグレードが、前記第１のチップと前記第２のチップとのより高いスループットを示す、前記提供することと、
特定のＡＰの前記第２のチップによるＷＬＡＮでのデータの前記送信または受信と同時の、ＬＴＥ規格に従った前記第１のチップによるデータの送信または受信が、前記第１のチップと前記第２のチップとの全体のスループットを減少させると判定する場合に、前記特定のＡＰのグレードを下方に調整することと、
それに続き、前記複数のＡＰのうちのどのＡＰが最高のグレードを有するかを判定することと、
を含む、持続性コンピュータ可読記憶媒体。
【請求項１８】
請求項１５に記載の持続性コンピュータ可読記憶媒体であって、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップとの全体のスループットを減少させるかどうかを判定することが、
各異なるＡＰについて、ＷＬＡＮでの前記第２のチップによるデータの受信が、ＬＴＥ規格に従った前記第１のチップによるデータの同時の送信によってブロックされるかどうかを判定すること、
を含む、持続性コンピュータ可読記憶媒体。
【請求項１９】
請求項１５に記載の持続性コンピュータ可読記憶媒体であって、
各異なるＡＰについて、前記第２のチップによるＷＬＡＮでのデータの送信または受信と同時の、ＬＴＥ規格に従った前記第１のチップによるデータの送信または受信が、前記第１のチップと前記第２のチップとの全体のスループットを減少させるかどうかを判定することが、
各異なるＡＰについて、ＷＬＡＮでの前記第２のチップによるデータの送信が、ＬＴＥ規格に従った前記第１のチップによるデータの受信の間に相互変調を生じさせるかどうかを判定すること、
を含む、持続性コンピュータ可読記憶媒体。
【請求項２０】
請求項１５に記載の持続性コンピュータ可読記憶媒体であって、
最適のＡＰを特定することが、
各異なるＡＰについて、前記第２のチップによるＷＬＡＮでのデータの送信または受信と同時の、ＬＴＥ規格での前記第１のチップによるデータの送信または受信が、前記第１のチップと前記第２のチップとの全体のスループットを減少させるかどうかを判定すること以外の、１つまたは複数のパフォーマンス要因に基づいて、前記複数のＡＰの各々にグレードを提供することであって、より高いグレードが、前記第１のチップと前記第２のチップとのより高いスループットを示す、前記提供することと、
特定のＡＰの前記第２のチップによるＷＬＡＮでのデータの前記送信または受信と同時の、ＬＴＥ規格に従った前記第１のチップによるデータの送信または受信が、前記特定のＡＰの前記第１のチップと前記第２のチップとの全体のスループットを減少させると判定する場合に、前記特定のＡＰのグレードを下方に調整することと、
それに続き、前記複数のＡＰのうちのどのＡＰが最高のグレードを有するかを判定することと、
を含む、持続性コンピュータ可読記憶媒体。